(57)【特許請求の範囲】
【請求項１】
シーケンスパターンをループ再生して楽音波形を繰り返し生成する自動演奏手段と、
前記自動演奏手段により生成された楽音波形の録音および該録音した楽音波形の再生を行う波形録音再生手段と、
前記波形録音再生手段への録音の開始を指示する録音指示手段とを備え、
前記波形録音再生手段は、前記自動演奏手段による楽音波形の生成中に前記録音指示手段による録音の開始が指示されると、該自動演奏手段によりループ再生中のシーケンスパターンの先頭が到来したときに録音を開始し、該自動演奏手段により生成中の楽音波形を、該楽音波形の生成に同期してあらかじめ指定されたループ１周分もしくは複数周分、録音するものであることを特徴とする電子楽器。
【請求項２】
シーケンスパターンをループ再生して楽音波形を繰り返し生成する自動演奏手段と、
前記自動演奏手段により生成された楽音波形の録音および該録音した楽音波形の再生を行う波形録音再生手段と、
前記波形録音再生手段への録音の開始を指示する録音指示手段とを備え、
前記波形録音再生手段は、前記自動演奏手段による楽音波形の生成中に前記録音指示手段による録音の開始が指示されたときに、該自動演奏手段により生成中の楽音波形を、該楽音波形の生成に同期してあらかじめ指定されたループ１周分もしくは複数周分、該自動演奏手段によりループ再生中のシーケンスパターンの先頭に対応する楽音波形位置を表す記憶アドレス情報を含んで録音するものであることを特徴とする電子楽器。
【請求項３】
前記波形録音再生手段は、前記自動演奏手段により生成中の楽音波形を、あらかじめ指定されたループ１周分もしくは複数周分録音した時点で、録音を終了するものであることを特徴とする請求項１又は２記載の電子楽器。
【発明の詳細な説明】
【０００１】
【発明の属する技術分野】
本発明は、録音機能を有する電子楽器に関する。
【０００２】
【従来の技術】
音源で生成される楽音波形を録音する装置の中にサンプラと呼ばれるものがある。このサンプラにシーケンサ（自動演奏装置）や外部音源などを接続して、所定の演奏データをシーケンサで再生し、その出力である発音指示を受けた外部音源の出力の楽音波形をサンプラに録音することがある。このときには複数の演奏データであるところのシーケンスパターンを再生した結果をそれぞれ個別に録音して、それらを併せてループ再生を行うこともある。このような場合にはそれぞれのシーケンスパターンの先頭に対応する楽音波形の位置をそれぞれ一致させてループ再生を行わなければならない。そのために録音を行うときにそれぞれのシーケンスパターンの先頭に対応する楽音波形の位置がすべてあうようにタイミングを見計らって録音操作を行い、停止するようなことを行わなければならない。
【０００３】
また、このようなことを避けるために、サンプラの中にはそれぞれのシーケンスパターンがそれらの先頭位置と終了位置とで同期するように録音を行うときにスタートポジション／エンドポジションの設定を行なうものもある。
【０００４】
【発明が解決しようとする課題】
上述の如く、従来の録音機能を持つサンプラにシーケンスパターンにしたがって楽音波形を録音して、それらの録音された各シーケンスパターンにしたがって楽音波形を同期させて再生する場合に、複数のシーケンスパターンの、それぞれの先頭に対応する楽音波形の位置を一致させるためにタイミングを計って録音操作を行ったり、録音操作を行うときにスタートポジション／エンドポジションの設定を行ったりしなければならない。
【０００５】
本発明は、上記事情に鑑み、シーケンスパターンの録音、再生を簡単な操作で可能にする電子楽器を提供することを目的とする。
【０００６】
【課題を解決するための手段】
上記目的を達成する本発明の第１の電子楽器は、シーケンスパターンをループ再生して楽音波形を繰り返し生成する自動演奏手段と、
前記自動演奏手段により生成された楽音波形の録音および該録音した楽音波形の再生を行う波形録音再生手段と、
前記波形録音再生手段への録音の開始を指示する録音指示手段とを備え、
前記波形録音再生手段は、前記自動演奏手段による楽音波形の生成中に前記録音指示手段による録音の開始が指示されると、該自動演奏手段によりループ再生中のシーケンスパターンの先頭が到来したときに録音を開始し、該自動演奏手段により生成中の楽音波形を、該楽音波形の生成に同期してあらかじめ指定されたループ１周分もしくは複数周分、録音するものであることを特徴とする。
上記本発明の第１の電子楽器によれば、上記録音指示手段によって録音指示を行うだけで、シーケンスパターンの先頭から録音することができて、その録音された楽音波形を再生するときにはわざわざ操作を行わなくても各シーケンスパターンの先頭に対応する楽音波形の位置を一致させて同時に再生を行うことができる。
また上記目的を達成する本発明の第２の電子楽器は、シーケンスパターンをループ再生して楽音波形を繰り返し生成する自動演奏手段と、
前記自動演奏手段により生成された楽音波形の録音およびその録音した楽音波形の再生を行う波形録音再生手段と、
前記波形録音再生手段への録音の開始を指示する録音指示手段とを備え、
前記波形録音再生手段は、前記自動演奏手段による楽音波形の生成中に前記録音指示手段による録音の開始が指示されたときに、該自動演奏手段により生成中の楽音波形を、該楽音波形の生成に同期してあらかじめ指定されたループ１周分もしくは複数周分、該自動演奏手段によりループ再生中のシーケンスパターンの先頭に対応する楽音波形位置を表す記憶アドレス情報を含んで録音するものであることを特徴とする。
【０００７】
上記発明の電子楽器によれば録音指示手段によって録音指示を行うだけで、シーケンスパターンの先頭位置に対応する楽音波形の位置を含んで録音することができて、その録音された楽音波形を再生するときにはわざわざ操作を行わなくても各シーケンスパターンの先頭に対応する楽音波形の位置を一致させて同時に再生を行うことができる。
【０００８】
ここで前記波形録音再生手段は、前記自動演奏手段により生成中の楽音波形を、あらかじめ指定されたループ１周分もしくは複数周分録音した時点で録音を終了するものであることが好ましい。
【０００９】
このように予め指定されたループ１周分もしくは複数周分録音したときに自動的に録音を終了するように構成した場合は録音終了の指示をわざわざ与えなくても済む。
【００１０】
【発明の実施の形態】
以下、本発明の実施形態について説明する。
【００１１】
図１は、本発明の電子楽器の構成を示す図である。
【００１２】
この電子楽器１０は、ＣＰＵ１１によって制御される。そのＣＰＵ１１にバス１２を介してＲＯＭ１３、ＲＡＭ１４、音源１５がそれぞれ接続されている。
【００１３】
ＲＯＭ１３には自動演奏装置が動作するためのプログラムおよびシーケンスパターンが格納されている。また、ＲＡＭ１４には動作が実行されるときに必要なシーケンスパターンなどが一時的に格納される。このときにはＲＡＭ１４はワーキング用のメモリとして機能する。
【００１４】
音源１５では音源用ＲＡＭ１６に格納された各波形データを読み出し、この読み出された各波形データを楽音信号として図示しないアンプへ出力する。そしてアンプで増幅された楽音信号が図示しないスピーカを介して楽音として空間に放音される。このようにＲＯＭ１３などに格納したシーケンスパターンが順次、読み出される部分までをシーケンサと呼んでいる。ここではＣＰＵ１１とＲＯＭ１３とＲＡＭ１４とがシーケンサに相当する。
【００１５】
また、本実施形態の電子楽器１０が備える音源１５には波形録音再生手段に該当するサンプラが配備されており、音源用ＲＡＭ１６を用いて楽音波形の再生や記録も行えるようになっている。サンプラが楽音波形を記録するときにはＣＰＵ１１によって読み出されたシーケンスパターンに基づいて音源１５が楽音波形を読み出しているときにその楽音波形を順次音源用ＲＡＭ１６に録音していく。このようにして楽音波形の録音を行うときには音源用ＲＡＭ１６内の４つの録音トラックに異なるシーケンスパターンに対応する楽音波形がそれぞれ録音可能となる。
【００１６】
そしてこの電子楽器１０にはユーザが電子楽器１０に対してどのような動作をさせるかを指示する操作子群１７が配備されている。この操作子群１７は電子楽器１０の一部に配設される操作パネル上に配列された操作子群で構成される。
【００１７】
図２を参照して操作子群１７が配設される操作パネルの構成を説明する。図２は操作子群１７が配設される操作パネルの構成図である。
【００１８】
図２の左上には音色を示すトーン（以下ＴＯＮＥという）を表わすデータ、演奏のテンポを示すＢＰＭを表わすデータ、シーケンスパターン（以下ＰＴＮという）を表わすデータのいずれかを選択するための表示切替スイッチ１７１が配設されている。その表示切替スイッチ１７１に隣接して表示部１７２が設けられている。この表示部１７２にはＴＯＮＥ、ＢＰＭ、ＰＴＮを表わすデータがその表示切替スイッチ１７１の押下回数によって切替えられて表示される。押下回数によってＴＯＮＥ、ＢＰＭ、ＰＴＮのうち、いずれのデータの内容が表示部に表示されるかは表示部の端部に設けられた、３つのＬＥＤの発光によって分かる。また、ＴＯＮＥ、ＢＰＭ、ＰＴＮのいずれかが表示切替スイッチ１７１で選択されて、この表示部１７２でＴＯＮＥ、ＢＰＭ、ＰＴＮのいずれかのデータが切替えられて表示されているときに、その表示されたデータの内容の変更がその表示部１７２の脇に隣接して設けられた入力スイッチで行える。
【００１９】
上向きの三角形で表わされる入力スイッチはインクリメントスイッチ１７３で、下向きの三角形で表わされる入力スイッチはデクリメントスイッチ１７４である。
【００２０】
この電子楽器には４つのトラックがある。これらの４つのトラックのうち、いずれかのトラックを録音トラックとして指定するためのサンプラトラック選択スイッチ１７６がそれぞれのトラックに対応して設けられている。これらのトラックに録音された楽音波形が再生されるときの楽音の音量を調整するためのサンプラトラックレベルボリューム１７５も４つのトラックそれぞれに設けられている。
【００２１】
さらにサンプラトラック選択スイッチ１７６の下側には録音スイッチ１７７、再生スイッチ１７８、停止スイッチ１７９がそれぞれ設けられている。これらのスイッチは４つの録音トラックのうち、いずれかの録音トラックをサンプラトラック選択スイッチ１７６で選択したときにその選択された録音トラックへの録音指示を行う録音スイッチ１７７、サンプラを含む自動演奏手段に対して再生を指示するための再生スイッチ１７８、再生中にその再生を停止させたり、録音中にその録音を停止させる停止スイッチ１７９に当たる。これらのスイッチの中の録音スイッチ１７７が録音指示手段に該当する。また、再生スイッチ１７８が押されたときにサンプラを含む自動演奏手段で再生される全体の音量の調整を行うためのボリューム１７８ａも設けられている。再生スイッチ１７８が押されると、シーケンサが設定されているテンポ値（ＢＰＭ）で自動演奏を開始すると同時に、４つのサンプラトラックのうち、すでに録音されているトラックがシーケンサに同期して読み出しを開始する。このとき、シーケンサが選択されているパターンの先頭に同期して各トラックの先頭アドレスから読み出しを開始し、パターンの終了時には、各トラックの終了位置まで読み出しを完了する。シーケンサでは、設定されているテンポ値に応じて時間の進行速度を変更することによりテンポが変更されるがサンプラではサンプリング周波数を変更することによりシーケンサによる自動演奏と同期をとる。
【００２２】
操作の一連の手順を図２を参照して詳細に説明する。
【００２３】
まず、表示切替スイッチ１７１を１度押下するとＢＰＭ、ＴＯＮＥ、ＰＴＮを表わすデータのいずれかが選択される。たとえば現在、表示部１７２に表示されているものがＴＯＮＥを表わすデータだとすると１回、押下すればＢＰＭを表わすデータへ、更に１回、押下すればＰＴＮを表わすデータへと変わる。
【００２４】
そしてＴＯＮＥ、ＢＰＭ、ＰＴＮを表わすデータのうち、いずれかのデータが切替えられて表示されたら、インクリメントスイッチ１７３あるいはデクリメントスイッチ１７４を用いてＴＯＮＥ、ＢＰＭ、ＰＴＮに対応するデータの内容をそれぞれ変更する。表示切替スイッチ１７１を操作し、表示部１７２をＰＴＮにし、インクリメントスイッチ１７３とデクリメントスイッチ１７４を用いて、任意のシーケンスパターンを選択する。次に同じく、表示切替スイッチ１７１とインクリメントスイッチ１７３とデクリメントスイッチ１７４を操作して、任意の音色とＢＰＭ即ち、テンポの選択あるいは設定をする。
【００２５】
そして次にサンプラの録音トラックを選択する。サンプラの録音トラックはサンプラトラック選択スイッチ１７６のうち、いずれかのサンプラトラック選択スイッチ１７６を押下して選択する。
【００２６】
たとえば図２中、一番左側のサンプラトラック選択スイッチ１７６を選択したとすると第１トラックへの録音が可能になる。このときに録音スイッチ１７７が押下されると第１トラックへの録音が開始され、その時選択されているシーケンスパターンの再生が終了するとサンプラへの録音も終了する。また、本実施形態の電子楽器１０では再生スイッチ１７８が押下されて繰り返し再生中に、録音スイッチ１７７が押下されると、繰り返し再生の先頭に戻ることに同期して第１トラックへの録音が開始される。そしてシーケンスパターンが一巡分再生されるとその録音も終了し、次に、録音されたサンプラの楽音波形の再生もサンプラを含む自動演奏手段で行われる再生に同期して先頭から開始されるようになっている。
【００２７】
また、再生スイッチ１７８はサンプラを含む自動演奏手段で楽音の再生開始指示を行うもので、この再生開始指示が行われればサンプラを含む自動演奏手段でシーケンスパターンの再生が行われる。このときの全体の音量はボリューム１７８ａによって変化する。
【００２８】
ここで図１に示すＣＰＵ１１で行われる処理を図３のフローチャートを参照して説明する。
【００２９】
図３は、録音スイッチ１７７が押下されたときのＣＰＵでの処理の手順を示すフローチャートである。
【００３０】
ステップＳ１ではサンプラを含む自動演奏手段がプレイ中であるかどうかが判定される。ここでシーケンスパターンが繰り返し再生されていてＹと判定されたら、プログラム内のフラグがオンする。もし、再生されていなくて、ここでＮと判定されたらステップＳ３でフラグがオフになる。そしてステップＳ４でサンプラを含む自動演奏手段に対して再生開始指示が行われる。このときには表示部１７２に表示されている表示内容に基づいてＲＯＭ内のシーケンスパターンが読み出されてそのシーケンスパターンに基づいてループ再生が行われる。
【００３１】
ステップＳ５でループ再生されているシーケンスパターンの始点の検出が行われる。録音スイッチ１７７が押下されたときに、繰り返し再生中であればシーケンスパターンの始点が検出されるまで繰り返しこのステップＳ５での処理を行い、繰り返し再生中でなければ直ちにシーケンスパターンの始点が検出され、ステップＳ５の処理が行われる。そしてシーケンスパターンの始点が検出されたら次のステップＳ６へ移行し、サンプラに対して録音指示が行われて録音が開始される。
【００３２】
ステップＳ７ではサンプラを含む自動演奏手段により再生中のシーケンスパターンの終点の検出がＣＰＵによって行われる。再生中のシーケンスパターンの終点が検出されるまでこのステップＳ７での処理が繰り返し行われ、シーケンスパターンの終点が検出されたらステップＳ８でサンプラに対して録音終了の指示が行われて、録音を終了する。
【００３３】
ステップＳ９においてフラグオフの場合には録音スイッチ１７７が押下されたときにサンプラを含む自動演奏手段が非動作であったことが分かるので録音終了時にステップＳ１１でサンプラを含む自動演奏手段が停止される。これに対し、フラグがオンであった場合にはそのままフローを終了し、サンプラを含む自動演奏手段は繰り返し再生を続ける。このときには始点が検出されているのでサンプラを含む自動演奏手段の再生に同期してサンプラで自動的に再生が行われる。そして表示部切替スイッチＳ１７２で切替が行われて、別のシーケンスパターンや音色、テンポ等が選択され、サンプラトラック選択スイッチ１７６によって録音を終了したトラックとは別のトラックが選択されて録音スイッチが押下されると、別のシーケンスパターンの録音がその選択されたトラックに対して行われる。
【００３４】
以上説明したように録音指示手段（録音スイッチ）によって録音指示が行われると、生成されるシーケンスパターンの先頭に同期して、楽音波形の書き込みを開始している。このことは、書き込みを行う記憶エリアの先頭番地が、シーケンスパターンの先頭に一致していることに他ならない。したがって、再生を行う場合はシーケンスパターンの先頭に同期して、記憶エリアの先頭のアドレスから読み出せば、シーケンサと波形読み出しの同期が取れることになる。
【００３５】
上記実施例では、録音指示があったとき、シーケンスパターンが先頭に来るのをまってメモリへの書き込みを開始したが、これに限らず、途中から書き込みを始めて、シーケンスパターンの先頭が来た時に、そのときのアドレスを記憶しても再生するときにその記憶したアドレスから読み出しを開始できるので同期をとって再生することができる。
【００３６】
テンポを変更する場合には、サンプラが記憶した時のサンプリング周波数を記憶しておいて、変更されたテンポに応じてサンプリング周波数を変えれば同期して演奏を行うことができる。
【００３７】
なお、本実施形態では１ループ分のシーケンスパターンに併せて録音を行う場合を示したが、本発明はこれに依らず、複数周分のシーケンスパターンの先頭を検出して、その複数周分のシーケンスパターンの終了を以って録音を終了させるような構成としても良い。
【００３８】
また、本実施形態では録音トラックを選択する為の、サンプラトラック選択スイッチ１７６だけであったが、再生するトラックを選択する為の、再生トラック選択スイッチを各トラック毎に設けて、選択した再生トラックとシーケンスパターンの再生とを合せて、選択された録音トラックに録音を行えるようにしても良い。
【００３９】
【発明の効果】
以上説明したように、本発明の電子楽器によれば、複数のシーケンスパターンの録音、再生を簡単な操作で可能にする電子楽器を提供することができる。
【図面の簡単な説明】
【図１】図１は、本発明の電子楽器の構成を示す図である。
【図２】図１に示す操作子の部分を構成する操作パネルを示す図である。
【図３】図２に示すＣＰＵで行われる処理の手順を示すフローチャートである。
【符号の説明】
１０    電子楽器
１１    ＣＰＵ
１２    バス
１３    ＲＯＭ
１４    ＲＡＭ
１５    音源
１６    音源用ＲＡＭ
１７    操作子群
【図１】
0004074769.tif 000002
【図２】
0004074769.tif 000003
【図３】
0004074769.tif 000004